(57)【要約】【課題】  おむつの着脱時にその装着テープをお腹側と背中側の何れでも着脱でき、着用者の姿勢に関わらず容易に着脱することができる使い捨ておむつを提供する。【解決手段】  前ウェスト部５から股間部６を経て後ウェスト部７に至る縦長形状でかつ前ウェスト部５と後ウェスト部７の両側外方に延出された前サイドフラップ１１と後サイドフラップ１２を装着テープ１３にて着脱自在に相互に固着するようにした使い捨ておむつ１において、装着テープ１３に、前サイドフラップ側と後サイドフラップ側とにそれぞれ着脱可能に固着する複数の固着部１７を設け、装着テープ１３をお腹側と背中側の何れでも着脱できるようにした。【選択図】        図２
2005304605.tif 000002
【特許請求の範囲】
【請求項１】
前ウェスト部から股間部を経て後ウェスト部に至る縦長形状でかつ前ウェスト部と後ウェスト部の両側外方に延出された前サイドフラップと後サイドフラップを装着テープにて着脱自在に相互に固着するようにした使い捨ておむつにおいて、装着テープには、前サイドフラップ側と後サイドフラップ側とにそれぞれ着脱可能に固着する複数の固着部を設けたことを特徴とする使い捨ておむつ。
【請求項２】
装着テープが一対のテープ材から成り、一端が何れかのサイドフラップに固着された一方のテープの他端と他方のテープの一端の何れかと、他方のテープの他端とに固着部を設けたことを特徴とする請求項１記載の使い捨ておむつ。
【請求項３】
装着テープの両側の固着部の間に易破断部を設けたことを特徴とする請求項１記載の使い捨ておむつ。
【請求項４】
装着テープの少なくとも一側部を幅方向に複数分割し、それぞれに固着部を設けたことを特徴とする請求項１記載の使い捨ておむつ。
【請求項５】
装着テープの両側の固着部の間に伸縮部を設けたことを特徴とする請求項１記載の使い捨ておむつ。
【請求項６】
少なくとも何れか一方のサイドフラップにおける装着テープ固着部部位と装着テープ外面とに互いに異なる模様を設けたことを特徴とする請求項１記載の使い捨ておむつ。
【発明の詳細な説明】
【技術分野】
【０００１】
本発明は、使い捨ておむつに関し、特にフラット型でかつお腹側からでも背中側からでも着脱することができる使い捨ておむつに関するものである。
【背景技術】
【０００２】
従来のフラット型の使い捨ておむつは、液不透過性シートからなる外面シートと液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。また、後サイドフラップに装着テープが設けられ、この装着テープに設けられた固着部を着脱するフロントターゲットテープが前ウェスト部に設けられている。
【０００３】
また、装着テープとフロントターゲットテープには一般に面状ファスナーが適用され、装着テープの固着部に多数の微小フックが分散形成されたフックテープが用いられ、フロントターゲットテープに微小フックが係合する多数の微小ループが分散形成されたループテープとして不織布テープが用いられている。なお、フロントターゲットテープには、短時間で装着できるように、着用者の胴回りの大きさに応じて装着テープの固着位置が一目で分かるように表示するデザイン化した目盛りや、幼児などに好印象を与えるための各種の図柄などの模様が印刷されている。
【発明の開示】
【発明が解決しようとする課題】
【０００４】
ところが、上記従来のフラット型の使い捨ておむつは、装着時に着用者の背中側に後ウェスト部を、お腹側に前ウェスト部を当てがい、前サイドフラップを内側にしてその外側に後サイドフラップを重ね合わせ、後サイドフラップの装着テープを前ウエスト部のフロントターゲットテープに固着する作業が必要であり、着用者を仰向けに寝かした状態では比較的容易に装着できても、着用者が後向きで立ったままで背中側から装着するのは極めて困難であり、暫くでも仰向けで静かに寝かすことができないような着用者の場合には装着が容易でなく、手間がかかるという問題があった。
【０００５】
なお、前側からでも後側からでも装着できるフラット型使い捨ておむつとして、おむつを前後方向に対称形に構成して、おむつをその前後を逆にして装着しても同じ機能を持つようにしたものも提案されているが、おむつ替え時に、装着テープをお腹側で固着したのか、背中側で固着したのかを探さねばならず、また背中側で固着した場合には仰向けでおむつ替えをする際に装着テープを外すのが困難になる等の問題がある。
【０００６】
本発明は、上記従来の問題点に鑑み、おむつの着脱時にその装着テープをお腹側と背中側の何れでも着脱することができ、着用者の姿勢に関わらず容易に着脱することができる使い捨ておむつを提供することを目的とする。
【課題を解決するための手段】
【０００７】
本発明の使い捨ておむつは、  前ウェスト部から股間部を経て後ウェスト部に至る縦長形状でかつ前ウェスト部と後ウェスト部の両側外方に延出された前サイドフラップと後サイドフラップを装着テープにて着脱自在に相互に固着するようにした使い捨ておむつにおいて、装着テープには、前サイドフラップ側と後サイドフラップ側とにそれぞれ着脱可能に固着する複数の固着部を設けたものである。
【０００８】
この構成によれば、装着テープに前サイドフラップ側と後サイドフラップ側とにそれぞれ着脱可能に固着する固着部を有しているので、お腹側と背中側の何れでも装着テープの固着部を着脱することができ、また装着テープをお腹側で固着したのか、背中側で固着したのかを探す必要もないため、着用者の姿勢に関わらず容易におむつを着脱することができる。
【０００９】
また、装着テープは、一対のテープ材から成り、一端が何れかのサイドフラップに固着された一方のテープの他端と他方のテープの一端の何れかと、他方のテープの他端とに固着部を設けた構成とすることもできる。
【００１０】
また、装着テープの両側の固着部の間に、ヒートシールによる薄肉ラインやミシン目から成る易破断部を設けた構成とすることもでき、こうするとお腹回りが大きく、脇部でフラップ同士が重ならない時に、易破断部を破断することで外し易いという利点がある。
【００１１】
また、装着テープの少なくとも一側部を幅方向に複数分割し、それぞれに固着部を設けた構成とすることもでき、こうすると少なくとも一側部を上下に分けてそれぞれ腰部とお尻部分に固着することで、おむつをしっかり固定でき、フィット性を向上できる。
【００１２】
また、装着テープの両側の固着部の間に伸縮部を設けることもでき、こうすると脇部のフィット性を向上できる。
【００１３】
また、少なくとも何れか一方のサイドフラップにおける装着テープ固着部部位と装着テープ外面とに互いに異なる模様を設けると、装着テープがどちらのフラップにあるのかが分かり易く、またお腹回りと背中回りに設けた模様と統一されたものとすると、見栄えが向上する。
【発明の効果】
【００１４】
本発明の使い捨ておむつによれば、装着テープに前サイドフラップ側と後サイドフラップ側とにそれぞれ着脱可能に固着する固着部を有しているので、お腹側と背中側の何れでも装着テープの固着部を着脱することができ、着用者の姿勢に関わらず容易におむつを着脱することができる。
【発明を実施するための最良の形態】
【００１５】
以下、本発明の使い捨ておむつの各実施形態について、図１〜図７を参照して説明する。なお、以下に示す実施形態は本発明を具体化した一例であって、本発明の技術的範囲を限定するものではない。
【００１６】
（第１の実施形態）
まず、本発明の第１の実施形態について、図１、図２を参照して説明する。図１は、フラット型の使い捨ておむつ１の全体構成を示す。この使い捨ておむつ１は、液不透過性の外面シート２と液透過性の内面シート３との間に吸収体（図示せず）を介在させた構成であり、前ウェスト部５から股間部６を経て後ウェスト部７に至る縦長形状に形成されている。外面シート２は液不透過性のポリエチレンシートなどから成る防水シートの外面にクロスのような感触を与えるための薄い不織布などからなるバックシートを貼り合わせて構成され、内面シート３は不織布にて構成されている。
【００１７】
前ウェスト部５と後ウェスト部７の間では、吸収体の両側部に、糸ゴム等の弾性伸縮部材を伸長状態にして配置してシート２、３に接合することで立体ギャザー部８及びギャザリングされた外縁部９が形成され、前ウェスト部５と後ウェスト部７では、発泡ポリウレタンなどから成るテープ状の弾性伸縮部材をギャザリングしたシート２、３に接合することでウェストにフィットするように構成されている。前ウェスト部５及び後ウェスト部７には、それぞれ両側外方に延出する前サイドフラップ１１と後サイドフラップ１２が設けられている。
【００１８】
前サイドフラップ１１又は後サイドフラップ１２（図１では後サイドフラップ１２）に装着テープ１３が取付けられている。また、前ウェスト部５には、着用者の胴回りの大きさに応じて装着テープ１３の固着位置の目安を与えるフロントターゲットテープ１４が設けられている。フロントターゲットテープ１４には、固着位置が一目で分かるように表示するデザイン化した目印や、幼児などに好印象を与えるための各種の図柄などの印刷模様１５が形成されている。
【００１９】
装着テープ１３は、図２に示すように、テープ材１６の長手方向の両側部にそれぞれ固着部１７が設けられている。固着部１７は、何度も取り外しができる面状ファスナーを構成するように、多数の微小フックが分散形成されたフックテープを一体固着して構成されている。また、前サイドフラップ１１とフロントターゲットテープ１４及び後サイドフラップ１２は、この固着部１７の微小フックが係合する多数の微小ループが分散形成されたループテープとして機能する不織布テープが用いられている。装着テープ１３の形状は、図示例では長方形のものを例示したが、固着部１７の配置部位を幅広にした砂時計形状など、任意の形状を採用できる。ただ、左右対称形にした方が、装着及び脱着がし易いので好適である。
【００２０】
テープ材１６としては、着用者がテープを引っ張る力や使用時の腹圧に対応して引張強度が３．５ｋｇｆ／５０ｍｍ以上であれば、不織布、フィルム、フィルムをラミネートした不織布など何でも良いが、目付けが６０〜８０ｇ／ｍ2 のスパンボンド不織布が好適である。また、テープ材１６の大きさは、必要な強度がありかつ着脱作業が容易な大きさであれば良く、例えば幼児用には幅３〜１０ｃｍ、長さ３〜１５ｃｍ、大人用には幅１０〜５０ｃｍ、長さ１０〜４０ｃｍ程度が好適である。
【００２１】
また、固着部１７としては、面状ファスナーを構成するものに限らず、粘着材を使用しても良く、その場合は粘着テープの取り外しができるように、相手側のフラップやターゲットテープに保護シートや保護フィルムを貼り付けておく。粘着材としては、粘着性のあるものであれば何でもよいが、好ましくはスチレン樹脂を基礎とした合成ゴムベースの接着剤が好ましい。これにはスチレンブタジエンゴムやスチレンイソプレンゴムなどがある。また、ホットメルト同士でしか接着しない、自着性ホットメルトを使用することもできる。さらに、その他衣類で使用されているボタンやファスナー等のフックできるものも適用することができる。
【００２２】
また、使い捨ておむつ１の使用前における装着テープ１３の配設状態は、図１に示したように、従来と同様に後サイドフラップ１２に装着したものに限らず、前サイドフラップ１１に装着しても、前ウェスト部５の中央部に仮に貼り付けておいても、三つ折りにして外面シート２に貼り付けておいても良い。
【００２３】
以上の構成によれば、装着テープ１３に、図２（ａ）に示すように、前サイドフラップ１１側と後サイドフラップ１２側とにそれぞれ着脱可能に固着する固着部１７を有しているので、図２（ｃ）に示すように、装着テープ１３のお腹側の固着部１７を着脱することも、逆に背中側の固着部１７を着脱することもできる。また、装着テープ１３をお腹側で固着したのか、背中側で固着したのかを探す必要もない。したがって、着用者を仰向けに寝かした場合だけでなく、後ろ向きに立ち上がっている姿勢の場合など、どのような姿勢であっても、比較的容易に使い捨ておむつ１を着脱することができる。
【００２４】
（第２の実施形態）
次に、本発明の第２の実施形態の使い捨ておむつ１を、図３を参照して説明する。なお、以下の実施形態の説明では、先行する実施形態と同一の構成要素については同一参照符号を付して説明を省略し、主として相違点についてのみ説明する。
【００２５】
本実施形態の使い捨ておむつ１においては、図３（ａ）、（ｂ）に示すように、装着テープ１３を、第１テープ材１８と第２テープ材１９の複数のテープ材にて構成し、第１のテープ材１８の一端を前サイドフラップ１１（又は後サイドフラップ１２）に溶着や接着にて一体固着し、第２のテープ材１９の両側部に一対の固着部１７を設けるとともに、その一方の固着部１７を第１のテープ材１８の他端部に、他方の固着部１７を後サイドフラップ１２（又は前サイドフラップ１１）に着脱可能に固着している。
【００２６】
また、図３（ｃ）に示すように、第１のテープ材１８の一端を前サイドフラップ１１（又は後サイドフラップ１２）に溶着や接着にて一体固着するとともにその他端部に固着部１７を設け、この第１のテープ材１８の固着部１７を第２のテープ材１９の一端部に着脱可能に固着し、かつ第２のテープ材１９の他端部に固着部１７を設けて後サイドフラップ１２（又は前サイドフラップ１１）に着脱可能に固着するように構成しても良い。
【００２７】
このように複数のテープ材１８、１９にて構成し、これらテープ材１８、１９間で着脱可能に固着するようにしても上記実施形態と同様の作用・効果を奏することができる。
【００２８】
（第３の実施形態）
次に、本発明の第３の実施形態の使い捨ておむつ１を、図４を参照して説明する。本実施形態においては、図４（ａ）、（ｂ）に示すように、装着テープ１３の両側の固着部１７、１７の間に、易破断部としてのミシン目２０を設けている。また、図４（ｃ）に示すように、易破断部としてヒートシールによる薄肉ライン２１を設けても良い。
【００２９】
この構成によれば、お腹回りが大きく、脇部でフラップ同士が重ならない時でも、易破断部としてのミシン目２０や薄肉ライン２１で破断することで使い捨ておむつ１を容易に外すことができる。
【００３０】
（第４の実施形態）
次に、本発明の第４の実施形態の使い捨ておむつ１を、図５を参照して説明する。本実施形態においては、図５（ａ）、（ｂ）に示すように、装着テープ１３の少なくとも一側部を幅方向に複数分割されて分岐テープ部２２ａ、２２ｂが形成されるとともに、それぞれに固着部１７が設けられている。
【００３１】
この構成によれば、使い捨ておむつ１を装着する際に分枝テープ部２２ａ、２２ｂを上下に分け、それぞれ腰部とお尻部分に固着することで、使い捨ておむつ１をしっかり固定でき、フィット性を向上できる。
【００３２】
（第５の実施形態）
次に、本発明の第５の実施形態の使い捨ておむつ１を、図６を参照して説明する。本実施形態においては、図６に示すように、装着テープ１３の両側の固着部１７、１７の間に伸縮部２３が設けられている。この構成によれば、脇部のフィット性を向上できる。
【００３３】
（第６の実施形態）
次に、本発明の第６の実施形態の使い捨ておむつ１を、図７を参照して説明する。本実施形態においては、図７（ａ）、（ｂ）に示すように、装着テープ１３の外面に模様２４ａが印刷形成され、また後サイドフラップ１２の装着テープ１３が着脱可能に固着される部位に模様２４ａとは異なる模様２４ｂが印刷形成され、その近傍にさらに模様２４ａや２４ｂと統一感のある模様２４ｃが形成されている。また、図７では説明が煩雑にならないように装着テープ１３と後サイドフラップ１２の関係についてのみ示したが、装着テープ１３と前サイドフラップ１１の間でも同様の関係の模様が形成されている。
【００３４】
この構成によれば、使い捨ておむつ１を装着した状態では図７（ａ）に示すように、装着テープ１３の模様２４ａと近傍の模様２４ｃのみが見え、装着テープ１３を後サイドフラップ１２から脱着すると、その部分の模様２４ｂが見えるようになるため、装着テープ１３が前サイドフラップ１１に固着されていることが分かる。かくして、装着テープ１３が前サイドフラップ１１にあるのか、後サイドフラップ１２にあるのかが模様２４ａによって容易に分かるため使い勝手が良い。さらに、これらの模様２４ａ、２４ｂ、２４ｃをお腹回りと背中回りに設けたその他の模様と統一されたものとすると、見栄えが向上する。
【産業上の利用可能性】
【００３５】
本発明の使い捨ておむつは、装着テープに前サイドフラップ側と後サイドフラップ側とにそれぞれ着脱可能に固着する固着部を有し、お腹側と背中側の何れでも装着テープを着脱でき、着用者の姿勢に関わらず容易におむつを着脱することができるため、フラット型の使い捨ておむつに有用である。
【図面の簡単な説明】
【００３６】
【図１】本発明の使い捨ておむつの第１の実施形態の構成を示す斜視図である。
【図２】同実施形態の要部構成を示し、（ａ）は概略側面図、（ｂ）は装着テープの拡大正面図、（ｃ）は装着テープの一方の固着部を脱着した状態の概略側面図である。
【図３】本発明の第２の実施形態の要部構成を示し、（ａ）は概略側面図、（ｂ）は装着テープの拡大正面図、（ｃ）は装着テープの変形構成例の拡大正面図である。
【図４】本発明の第３の実施形態の要部構成を示し、（ａ）は概略側面図、（ｂ）は装着テープの拡大正面図、（ｃ）は装着テープの変形構成例の拡大正面図である。
【図５】本発明の第４の実施形態の要部構成を示し、（ａ）は概略側面図、（ｂ）は装着テープの拡大正面図である。
【図６】本発明の第５の実施形態の要部構成を示す概略側面図である。
【図７】本発明の第６の実施形態の要部構成を示し、（ａ）は概略側面図、（ｂ）は装着テープの一方の固着部を脱着した状態の概略側面図である。
【符号の説明】
【００３７】
１  使い捨ておむつ
５  前ウェスト部
６  股間部
７  後ウェスト部
１１  前サイドフラップ
１２  後サイドフラップ
１３  装着テープ
１７  固着部
１８  第１テープ材
１９  第２テープ材
２０  ミシン目（易破断部）
２１  薄肉ライン（易破断部）
２２ａ、２２ｂ  分枝テープ部
２３  伸縮部
２４ａ、２４ｂ、２４ｃ  模様
【図１】
2005304605.tif 000003
【図２】
2005304605.tif 000004
【図３】
2005304605.tif 000005
【図４】
2005304605.tif 000006
【図５】
2005304605.tif 000007
【図６】
2005304605.tif 000008
【図７】
2005304605.tif 000009